(57)【要約】  【課題】  必要に応じて高速で窓制御を行うことができ、従って、ＤＨＯ元基地局となった場合でも、伝送品質を劣化させることなく、移動局のタイミング変動に追従することができるパス検出装置を提供する。  【解決手段】  拡散符号を用いて拡散された受信信号から相関ピークを検出する相関ピーク検出手段と、前記相関ピーク検出手段における相関ピーク検出窓範囲を制御する相関ピーク検出窓制御手段とを備え、前記相関ピーク検出窓制御手段は、パスを検出する範囲内の前後に該範囲より小さい小範囲を設け、前記小範囲内にパスを検出したとき、そのパスが前記小範囲外且つ窓内となるように窓を移動制御させ、移動制御する周期を前記小範囲内にパスを検出していないときに比べて短くすることを特徴とする。  【選択図】  図２
2005136568.tif 000002
【特許請求の範囲】
【請求項１】
拡散符号を用いて拡散された受信信号から相関ピークを検出する相関ピーク検出手段と、前記相関ピーク検出手段における相関ピーク検出窓範囲を制御する相関ピーク検出窓制御手段とを備え、
前記相関ピーク検出窓制御手段は、パスを検出する範囲内の前後に該範囲より小さい小範囲を設け、前記小範囲内にパスを検出したとき、そのパスが前記小範囲外且つ窓内となるように窓を移動制御させ、移動制御する周期を前記小範囲内にパスを検出していないときに比べて短くすることを特徴とするパス検出装置。
【発明の詳細な説明】
【技術分野】
【０００１】
本発明は、ＤＳ−ＣＤＭＡ(Ｄｉｒｅｃｔ  Ｓｅｑｕｅｎｃｅ−Ｃｏｄｅ  Ｄｉｖｉｓｉｏｎ  Ｍｕｌｔｉｐｌｅ  Ａｃｃｅｓｓ：直接拡散−符号分割多元接続)方式の受信機において、相関ピークを検出するための相関ピーク検出窓範囲を制御するパス検出装置の改善に関するものである。
【背景技術】
【０００２】
ＤＳ−ＣＤＭＡ方式は拡散符号を用いて伝搬遅延波を分離し、分離した複数のパスを効率良く合成することで伝送品質の改善を図っている。これはＲＡＫＥ受信と呼ばれる方式であり、伝搬遅延波の数が多いほど伝送品質の向上が図れることからＤＳ−ＣＤＭＡの受信機ではこのような伝搬遅延波の検出が重要となる。
【０００３】
ＤＳ−ＣＤＭＡの受信機では、ＭＦ出力の相関ピークを用いて遅延パスを検出している。また遅延パスの検出範囲となるＭＦ出力範囲は窓と呼ばれ、遅延パスの遅延量は伝搬路の状態によって変化するため、遅延パスが窓内に存在するように、常に窓を追従させてパスを検出する必要がある。
【０００４】
また、パスの遅延量は伝搬路の状態だけでなく、ダイバーシチハンドオーバ時にも変化する。ダイバーシチハンドオーバ（ＤＨＯ）とは、移動局が無線ゾーン間を移動する際、ハンドオーバ（ＨＯ）元回線を解放せずに（切らずに）同周波数帯域ＨＯ先回線を設定し、サイトダイバーシチを実行する。ＤＨＯ元の基地局とＤＨＯ先の基地局のタイミングは完全に同期していないので、移動局でそれぞれの基地局のタイミングを測定して、ＤＨＯ元の基地局に報告する必要がある。
【０００５】
移動局がＤＨＯ元基地局とＤＨＯ先基地局の両方に接続している状態（ＤＨＯ状態）では、ＤＨＯ元基地局に対してもＤＨＯ先基地局に対しても移動局は一般的には同期タイミングを変えることは無い。移動局がＤＨＯ元基地局との回線を解放して、ＤＨＯ元基地局からＤＨＯ先基地局に移行するとき、移動局は基地局間の同期タイミング差を吸収するため同期タイミングを変更する。この場合、最大で±１２８ｃｈｉｐだけタイミングが変更される。このときＤＨＯ先基地局にしてみれば、最大±１２８ｃｈｉｐ離れたパスがタイミング的に近づいてくるように見える。
【０００６】
従って、このときＤＨＯ先基地局においては、±１２８ｃｈｉｐの窓幅を持つことが必要となるが、ＤＨＯ先基地局となったとき、基地局はＤＨＯ先であることと移動局のタイミング変化量が予め上位装置から通知されるので、±１２８ｃｈｉｐの窓でなくても、小さい窓をパス移動速度に合わせて追従させればよい。３ＧＰＰではパス移動速度１．２５ｃｈｉｐ／ｓｅｃと規定している。なお、従来のパス検出装置として下記特許文献が知られている（例えば、特許文献１参照。）。
【特許文献１】特開平２００１−１７７４４０号公報
【発明の開示】
【発明が解決しようとする課題】
【０００７】
しかしながら、上述したように、ＤＨＯ先基地局に移動局が移行する以前、すなわちＤＨＯ状態では、移動局はＤＨＯ元基地局に対してそのタイミングを変えないのが一般的であるが、移動局の中にはＤＨＯ状態においてＤＨＯ元／先基地局と関係無く、受信レベルの高い基地局に追従してタイミングを変えるものがある。
【０００８】
このときの移動局の最大タイミング変動幅は、基地局間タイミングの最大ズレ量と同じ±１２８ｃｈｉｐで、移動速度は１．２５ｃｈｉｐ／ｓｅｃ（３ＧＰＰ規定値）以上になることもある。この場合、ＤＨＯ元基地局は移動局のタイミングが変わることは予め上位装置から通知されてないので、基地局の窓が小さい場合、移動局パスに追従できず窓外にパスが外れてしまう。
【０００９】
図４を用いて従来の窓制御方式での作用の流れを説明する。図４は１ｓｍｐ／４０ｍｓ（６．２５ｃｈｉｐ／ｓｅｃ）でパスが移動するときの従来の窓制御方式によるパス追従動作例を示している。図４において、１）経過時間は今回の例での単位時間（４０ｍｓ）毎に経過する。２）実際のパス位置は窓に対する相対的な位置であり、４０ｍｓ毎に１ｓｍｐ前方向に移動するとしている。３）検出パス位置は窓内に検出した時のパス位置である。４）窓制御は制御方向と制御量である。５）制御周期は従来の窓制御方式では１ｓｍｐ／２００ｍｓである。０ｍｓにおいて、７ｓｍｐの位置にパスを検出する。例えばパスを窓中央に移動させる場合は前方向に１ｓｍｐ窓を移動する。
【００１０】
この制御によって、４０ｍｓにおける実際のパス位置は７ｓｍｐとなる。その後、経過時間が過ぎる毎にパスは１ｓｍｐずつ前方向に移動するが、窓制御タイミングではないので窓制御することはできない。２００ｍｓにおいて、窓制御タイミングなので３ｓｍｐの位置に検出したパスが窓中央になるよう前方向に１ｓｍｐ窓を移動する。この制御によって２４０ｍｓにおける実際のパス位置は３ｓｍｐとなる。その後、経過時間が過ぎる毎にパスは１ｓｍｐずつ前方向に移動するが、窓制御タイミングではないので、窓制御することはできない。４００ｍｓにおいて、窓制御タイミングとなるが、パスが窓外に外れてしまいパス検出ができない。
【００１１】
基地局がＤＨＯ元／先であることに関係なく、常に高速窓制御すれば、ＤＨＯ元基地局となったときに移動局が移動しても追従することが可能であるが、常に窓を高速制御するとＭＦ（マッチドフィルタ）出力の相関ピークがブレることとなり、伝送品質が劣化する要因になるという問題があった。
【００１２】
本発明は、上述した従来技術の問題点を解決するためになされたものであり、ＤＨＯ元基地局となった場合でも移動局のタイミング変動に追従することができるパス検出装置を提供することを目的としている。
【課題を解決するための手段】
【００１３】
上述した課題を解決するため、本発明に係るパス検出装置は、  拡散符号を用いて拡散された受信信号から相関ピークを検出する相関ピーク検出手段と、前記相関ピーク検出手段における相関ピーク検出窓範囲を制御する相関ピーク検出窓制御手段とを備え、前記相関ピーク検出窓制御手段は、パスを検出する範囲内の前後に該範囲より小さい小範囲を設け、前記小範囲内にパスを検出したとき、そのパスが前記小範囲外且つ窓内となるように窓を移動制御させ、移動制御する周期を前記小範囲内にパスを検出していないときに比べて短くすることを特徴とするものである。
【発明の効果】
【００１４】
以上に詳述したように本発明によれば、必要に応じて高速で窓制御を行うことができ、従って、ＤＨＯ元基地局となった場合でも、伝送品質を劣化させることなく、移動局のタイミング変動に追従することができるパス検出装置を提供することができる。
【発明を実施するための最良の形態】
【００１５】
以下、本発明の実施の形態について図面を参照しつつ説明する。
図１は本発明の実施の形態における通信装置の受信部において構成されるパス検出装置を示すブロック図である。
【００１６】
図示のように、このパス検出装置は、マッチドフィルタ１０１、プロファイル１０２、メモリ１０３、スクランブルコード発生器１０４、及び制御部１０５を有している。
【００１７】
マッチドフィルタ１０１は、図示しない受信部からパイロットチャネルの受信ベースバンド信号を入力し、この受信ベースバンド信号をスクランブルコード発生器１０４が発生するスクランブルコードを使用して逆拡散するものであり、相関ピーク検出手段の一例である。この場合、マッチドフィルタ１０１は、乗算器及び累算器などを用いて、パイロットチャネルの受信ベースバンド信号とスクランブルコードとの１シンボル時間分の相関演算を行う。
【００１８】
そして、パイロットチャネルの受信ベースバンド信号のスクランブルコードとスクランブルコード発生器１０４から出力されるスクランブルコードとの位相が合致すれば、マッチドフィルタ１０１においてスクランブルコード特有の鋭い相関ピークが検出される。また、マルチパス環境ならば、遅延波に関しても、その遅延時間だけ時間シフトした相関ピークがマッチドフィルタ１０１の出力に出現する。
【００１９】
プロファイル１０２は、マッチドフィルタ１０１の出力を自乗して位相変動を除去する。すなわち、マッチドフィルタ１０１の出力には、伝搬路や情報信号による位相回転があるため、その位相変動をプロファイル１０２において除去する。また、プロファイル１０２は、位相変動を除去したマッチドフィルタ１０１の出力をメモリ１０３に累積加算平均してマッチドフィルタ１０１の出力に含まれる雑音を除去し、累積加算平均出力から最大値と平均値を得ることにより、例えば最大値の半分の値に平均値を加えた値を閾値とし、この閾値を超える加算平均出力を到達波、すなわち受信パスタイミングとし、これを出力する。この場合メモリ１０３は窓幅分の領域を有している。
【００２０】
そして、マッチドフィルタ１０１とプロファイル１０２とは窓幅分のパスタイミングを得る。本実施の形態は、更に窓の両端にガードエリアを設け、このガードエリア内にパスを検出した場合に、窓を高速制御するようにしたものである。図２は本実施の形態の動作を示す概念図である。図２（Ａ）に示すように、窓の前後にガードエリア１，２を設ける。窓内に検出したパスが各ガードエリア１，２内であった場合、このパスがガードエリア外になるように窓位置を制御し、その制御周期を高速化する。
【００２１】
図２（Ｂ）に示すように、ガードエリア範囲を例えば８ｓｍｐとし、窓内に検出したパス位置を９ｓｍｐとする。このパスはガードエリア内には検出されないので、通常の窓制御を行う。通常の窓制御とは例えば、検出パスが窓中央になるように窓を１ｓｍｐ前方向に移動させ、その制御周期を例えば１．２５ｃｈｉｐ／ｓｅｃ（＝１ｓｍｐ／２００ｍｓ）とする。次回の窓制御は２００ｍｓ後になる。
【００２２】
また、図２（Ｃ）に示すように、窓内に検出したパス位置が８ｓｍｐとなった時、このパスはガードエリア１内に検出されるので、パスがガードエリア外になるように前方向に１ｓｍｐ制御する。また制御周期を例えば６．２５ｃｈｉｐ／ｓｅｃ（＝１ｓｍｐ／４０ｍｓ）にして高速制御とする。次回の窓制御は４０ｍｓ後になる。４０ｍｓ後に検出したパス位置がガードエリア内にあれば高速制御を継続し、一方ガードエリア外にあれば通常制御に戻す。
【００２３】
図３を用いて本発明の動作の流れを説明する。図３は１ｓｍｐ／４０ｍｓ（６．２５ｃｈｉｐ／ｓｅｃ）でパスが移動する時の本発明の窓制御方式によるパス追従動作例を示している。図３において、１）経過時間は今回の例で単位時間（４０ｍｓ）毎に経過する。２）実際のパス位置は窓に対する相対的な位置であり、４０ｍｓ毎に１ｓｍｐ前方向に移動するとしている。３）検出パス位置は窓内に検出した時のパス位置である。４）窓制御は制御方向と制御量である。５）制御周期は本発明の窓制御方式では、１ｓｍｐ／４０ｍｓである。０ｍｓにおいて、７ｓｍｐの位置にパスを検出する。ガードエリア１に検出したので、ガードエリア１の外になるように前方向に１ｓｍｐ窓を移動し制御周期を１ｓｍｐ／４０ｍｓにする。
【００２４】
この制御によって、４０ｍｓにおける実際のパス位置は７ｓｍｐとなる。４０ｍｓにおいて、窓制御タイミングなので、７ｓｍｐの位置に検出したパスがガードエリア１の外になるよう前方向に１ｓｍｐ窓を移動し、制御周期を１ｓｍｐ／４０ｍｓとする。その後、経過時間が過ぎる毎にパスは１ｓｍｐずつ前方向に移動するが、常に窓制御タイミングなので窓を制御し続け、４００ｍｓ経過しても従来の窓制御方式のように外れることは無い。
【００２５】
本実施の形態の他の形態として、上記動作において、ガードエリアに伝送品質に寄与しないレベルの低いパス（以下、ゴミパス）が検出される場合があり、ゴミパスに対して高速制御すると本来のパスが窓から外れてしまう可能性がある。ガードエリアに検出されたパスが窓内の最大パスであるときに高速制御に移る。
【００２６】
さらに、入力信号が無い場合は最大パスもゴミパスとなるため、最大ゴミパスに対して高速制御して本来の窓位置から大きくずれると、入力信号が入ってきたときにパスが窓内に検出できない可能性がある。既知のパイロットパターンから同期を確立し、同期が確立し且つガードエリアにパスが検出されたときに高速制御に移る。
【図面の簡単な説明】
【００２７】
【図１】本発明の実施の形態による構成を示す機能ブロック図である。
【図２】実施の形態の動作を示す概念図である。
【図３】実施の形態の動作を示すテーブルである。
【図４】従来のパス検出装置の動作の一例を示す図である。
【符号の説明】
【００２８】
１，２  ガードエリア、１０１  マッチドフィルタ、１０２  プロファイル、１０３  メモリ、１０４  スクランブルコード発生器１０４、１０５  制御部。
【図１】
2005136568.tif 000003
【図２】
2005136568.tif 000004
【図３】
2005136568.tif 000005
【図４】
2005136568.tif 000006